(57)【要約】      （修正有）【課題】防水の機能を確保しながら、容易に携帯情報端末と外部装置とを接続可能とする。【解決手段】携帯情報端末用防水カバーは、防水シート１０と、保護シート２０と、ヘッドフォンジャック保護キャップ３０とを備え、防水シート１０は、開口部であるヘッドフォンジャック部と、開口部である背面挿入部とを具備し、保護シート２０は、背面挿入部を覆い封止する形状であり、ヘッドフォンジャック保護キャップ３０は、携帯情報端末のヘッドフォンジャックに挿入可能とされるジャック挿入部と、前記ジャック挿入部が固着されるジャック保護キャップ底板と、前記ジャック保護キャップ底板に固着されるジャック防水パッキンとを具備する。【選択図】図４
2014003478.tif 000002
【特許請求の範囲】
【請求項１】
防水シートと、
保護シートと、
ヘッドフォンジャック保護キャップとを備え、
前記防水シートは、
開口部であるヘッドフォンジャック部と、
開口部である背面挿入部とを具備し、
前記保護シートは、
前記背面挿入部を覆い封止する形状であり、
前記ヘッドフォンジャック保護キャップは、
携帯情報端末のヘッドフォンジャックに挿入可能とされるジャック挿入部と、
前記ジャック挿入部が固着されるジャック保護キャップ底板と、
前記ジャック保護キャップ底板に密着されるジャック防水パッキンとを具備する、
携帯情報端末用防水カバー。
【請求項２】
ジャック挿入部に前記ヘッドフォンジャックの内面に密着する防水リングを有する請求項１に記載の携帯情報端末用防水カバー。
【請求項３】
前記ジャック防水パッキンは、
防水のための高粘度の溶液を含浸するジェルパッキンである請求項１に記載の携帯情報端末用防水カバー。
【請求項４】
防水シートと、
保護シートと、
コネクタ保護キャップとを備え、
前記防水シートは、
開口部であるコネクタ部と、
開口部である背面挿入部とを具備し、
前記保護シートは、
前記背面挿入部を覆い封止する形状であり、
前記コネクタ保護キャップは、
携帯情報端末のコネクタに挿入可能とされるコネクタ挿入部と、
前記コネクタ挿入部が固着されるコネクタ保護キャップ底部と、
前記コネクタ保護キャップ底部に密着されるコネクタ防水パッキンとを具備する、
携帯情報端末用防水カバー。
【請求項５】
前記防水シートは、
前記携帯情報端末に接する面に凹凸が形成される請求項１ないし請求項４の１項に記載の携帯情報端末用防水カバー。
【請求項６】
前記防水シートは、
前記携帯情報端末のカメラレンズに接する部分には凹凸が形成されない透明部を有する請求項５に記載の携帯情報端末用防水カバー。
【請求項７】
前記防水シートは、
エラストマで形成される第１の防水シートと、
エラストマで形成される第２の防水シートとを具備し、
前記第１の防水シート１と前記第２の防水シートとによって袋形状とされている内部が、前記携帯情報端末の外形よりも小さい、
請求項１または請求項２に記載の携帯情報端末用防水カバー。
【請求項８】
両面が粘着作用を有する発泡ブチルゴムで形成される防水パッドを具備し、
前記携帯情報端末の外筐および前記ヘッドフォンジャック、前記防水パッド、前記防水シート、前記ジャック防水パッキンの順に前記各部材が積層される請求項７に記載の携帯情報端末用防水カバー。
【請求項９】
両面が粘着作用を有する発泡ブチルゴムで形成される防水パッドを具備し、
前記携帯情報端末の外筐および前記コネクタ、前記防水パッド、前記防水シート、前記コネクタ防水パッキンの順に前記各部材が積層される請求項７に記載の携帯情報端末用防水カバー。
【請求項１０】
防水シートよりも強度が高い部材で形成される防水パッドを具備し、
前記携帯情報端末の外筐および前記ヘッドフォンジャック、前記防水シート、前記防水パッド、前記ジャック防水パッキンの順に前記各部材が積層される請求項７に記載の携帯情報端末用防水カバー。
【請求項１１】
防水シートよりも強度が高い部材で形成される防水パッドを具備し、
前記携帯情報端末の外筐および前記コネクタ、前記防水パッド、前記防水シート、前記コネクタ防水パッキンの順に前記各部材が積層される請求項７に記載の携帯情報端末用防水カバー。
【請求項１２】
前記ジャック防水パッキンは、
防水のための高粘度の溶液を含浸するジェルパッキンである請求項８または請求項１０に記載の携帯情報端末用防水カバー。
【請求項１３】
前記コネクタ防水パッキンは、
防水のための高粘度の溶液を含浸するジェルパッキンである請求項９または請求項１１に記載の携帯情報端末用防水カバー。
【発明の詳細な説明】
【技術分野】
【０００１】
本発明は、携帯情報端末用防水カバーに関する。
【背景技術】
【０００２】
近年、携帯情報端末が広く普及している。例えば、スマートフォン（インターネットとの親和性が高く、パソコンの機能をベースとして作られた多機能携帯電話）に代表される携帯情報端末が広く普及している。これらの携帯情報端末の使用価値は、常時、携帯することができる点にある。これらの携帯情報端末の内部には、高密度に実装される電気回路が組み込まれている。よって、携帯情報端末は、水分に曝されることによって簡単に機能不良が生じ、破壊にいたることもある。
【０００３】
このような事態の発生を防止するために、特許文献１には、柔軟性に優れたポリウレタン材質からなる携帯電話に密着するカバー体に携帯電話の収容を図る収容孔を穿設し、収容孔を開閉する粘着体を設ける携帯電話用防水カバーが提案されている。特許文献２、特許文献３、特許文献４にも防水カバーの技術が開示されている。
【先行技術文献】
【特許文献】
【０００４】
【特許文献１】特開２０１２−５１３０号公報
【特許文献２】特開２００６−２８０３８８号公報
【特許文献３】特開２００２−５１８２０号公報
【特許文献４】実用新案登録第３０７３３６７号公報
【発明の概要】
【発明が解決しようとする課題】
【０００５】
携帯情報端末は、内部に充電可能な二次電池を搭載しており、この二次電池に充電するためには、外部の充電器と接続しなければならない。また、携帯情報端末は、パーソナルコンピュータと接続することによって、さらに、高機能性を発揮できる。さらに、携帯情報端末は、ヘッドフォン端子を設けることによって高音質なヘッドフォンの利用が可能となる。携帯情報端末は接続端子（ヘッドフォンジャック、コネクタ）を有し、この接続端子を介してこれらの外部装置（充電器、パーソナルコンピュータ、ヘッドフォン）と接続可能とされている。特許文献１ないし特許文献４に記載の防水技術によれば、携帯情報端末の接続端子を含めて防水カバーによって密封するものとなっている。よって、外部装置を利用する場合には、防水カバーから携帯情報端末を取り出さねばならない。携帯情報端末の防水カバーからの出し入れは極めて煩雑である。また、携帯情報端末の出し入れを繰り返すことによって防水カバーが短期間に消耗してしまうという問題がある。
【０００６】
本発明は、係る課題を解決して、防水の機能を確保しながら、容易に携帯情報端末と外部装置とを接続可能とする防水カバーを提供するものである。
【課題を解決するための手段】
【０００７】
本発明の携帯情報端末用防水カバーは、防水シートと、保護シートと、ヘッドフォンジャック保護キャップとを備え、前記防水シートは、開口部であるヘッドフォンジャック部と、開口部である背面挿入部とを具備し、前記保護シートは、前記背面挿入部を覆い封止する形状であり、前記ヘッドフォンジャック保護キャップは、携帯情報端末のヘッドフォンジャックに挿入可能とされるジャック挿入部と、前記ジャック挿入部が固着されるジャック保護キャップ底板と、前記ジャック保護キャップ底板に固着されるジャック防水パッキンとを具備する。
【０００８】
本発明の別の携帯情報端末用防水カバーは、防水シートと、保護シートと、コネクタ保護キャップとを備え、前記防水シートは、開口部であるコネクタ部と、開口部である背面挿入部とを具備し、前記保護シートは、前記背面挿入部を覆い封止する形状であり、前記コネクタ保護キャップは、携帯情報端末のコネクタに挿入可能とされるコネクタ挿入部と、前記コネクタ挿入部が固着されるコネクタ保護キャップ底部と、前記コネクタ保護キャップ底部に密着されるコネクタ防水パッキンとを具備する。
【発明の効果】
【０００９】
本発明によれば、防水シートは、開口部であるヘッドフォンジャック部を具備し、ヘッドフォンジャック保護キャップは、ジャック挿入部と、ジャック保護キャップ底板と、ジャック防水パッキンとを具備する。または、防水シートは、開口部であるコネクタ部を具備し、コネクタ保護キャップは、コネクタ挿入部と、コネクタ保護キャップ底部と、コネクタ防水パッキンとを具備する。このような構成を採用することによって、防水の機能を確保しながら、容易に携帯情報端末と外部装置とを接続可能とする。
【図面の簡単な説明】
【００１０】
【図１】携帯情報端末用防水カバーの防水シートを示す図である。
【図２】携帯情報端末用防水カバーの保護シートを示す図である。
【図３】携帯情報端末用防水カバーの使用方法を示す図である。
【図４】スマートフォンに携帯情報端末用防水カバーを実装したときの正面図と背面図である。
【図５】スマートフォンに携帯情報端末用防水カバーを実装したときの平面図と底面図と右側面図（左側面図）である。
【図６】第１の実施形態のヘッドフォンジャック保護キャップの斜視図である。
【図７】コネクタ保護キャップの斜視図である。
【図８】第１の実施形態のヘッドフォンジャック保護キャップの作用を示す図である。
【図９】コネクタ保護キャップの作用を示す図である。
【図１０】防水シートの内面に透明部と低摩擦部とを作るための摩擦低減処理を模式的に示す図である。
【図１１】第２の実施形態のヘッドフォンジャック保護キャップの斜視図である。
【図１２】第２の実施形態のヘッドフォンジャック保護キャップの作用を示す図である。
【図１３】第１の防水シートと第２の防水シートとの張り合わせ部に生じる突起を模式的に示す図である。
【図１４】第４の実施形態におけるスマートフォン外筐とヘッドフォンジャックと防水パッドとの関係を示す斜視模式図である。
【図１５】第４の実施形態におけるスマートフォン外筐とヘッドフォンジャックと防水パッドと防水シートとヘッドフォンジャック保護キャップとの関係を示す断面模式図である。
【図１６】スマートフォン外筐とコネクタと防水パッドとの関係を示す斜視模式図である。
【図１７】スマートフォン外筐とコネクタと防水パッドと防水シートとコネクタ保護キャップとの関係を示す断面模式図である。
【図１８】第５の実施形態におけるスマートフォン外筐を内蔵した防水シートの突起とヘッドフォンジャックと防水パッドとの関係を示す斜視模式図である。
【図１９】スマートフォン外筐とヘッドフォンジャックと防水シートと防水パッドとヘッドフォンジャック保護キャップとの関係を示す断面模式図である。
【図２０】防水シートの突起とコネクタと防水パッドとの関係を示す斜視模式図である。
【図２１】スマートフォン外筐とヘッドフォンジャックと防水シートと防水パッドとコネクタ保護キャップとの関係を示す断面模式図である。
【図２２】第６の実施形態を示す図である。
【発明を実施するための形態】
【００１１】
実施形態の携帯情報端末用防水カバーは、防水シートと、保護シートと、ヘッドフォンジャック保護キャップとを備える、防水シートは、開口部であるヘッドフォンジャック部と、開口部である背面挿入部とを具備する。保護シートは、背面挿入部を覆い封止する形状である。ヘッドフォンジャック保護キャップは、携帯情報端末のヘッドフォンジャックに挿入可能とされるジャック挿入部と、ジャック挿入部が固着されるジャック保護キャップ底板と、ジャック保護キャップ底板に密着されるジャック防水パッキンとを具備する。
【００１２】
別の実施形態の携帯情報端末用防水カバーは、防水シートと、保護シートと、コネクタ保護キャップとを備える。防水シートは、開口部であるコネクタ部と、開口部である背面挿入部とを具備する。保護シートは、背面挿入部を覆い封止する形状である。コネクタ保護キャップは、携帯情報端末のコネクタに挿入可能とされるコネクタ挿入部と、コネクタ挿入部が固着されるコネクタ保護キャップ底部と、コネクタ保護キャップ底部に密着されるコネクタ防水パッキンとを具備する。
【００１３】
図１、図２を参照して実施形態の携帯情報端末用防水カバーについて説明をする。以下の説明においては、携帯情報端末はスマートフォンであるとして説明をする。実施形態の携帯情報端末用防水カバー（以下、単に防水カバーとも称する）は、防水シート１０と保護シート２０とヘッドフォンジャック保護キャップ３０とコネクタ保護キャップ４０とを備えている。
【００１４】
図１（ａ）は、防水シート１０の正面図である。図１（ｂ）は、防水シート１０の背面図である。図１を参照して防水シート１０について説明をする。
【００１５】
防水シート１０は、ポリウレタンエラストマーのフィルムから型によって打ち抜かれた第１の防水シート１０ａと第２の防水シート１０ｂとの各々の防水シートの端部を張り合わせて袋形状とされている。第１の防水シート１０ａの内面と第２の防水シート１０ｂの内面とは対面している。防水シート１０の外形は、本実施形態においては、長手方向の長さは１２０ｍｍ（ミリ・メータ）、短手方向の長さは６５ｍｍ、４隅の円弧部はＲ１１ｍｍである。防水シート１０の外形寸法は、防水シート１０の内部に挿入する携帯情報端末の外形寸法よりも小さく設定され、防水シート１０は内部に配置される携帯情報端末に密着する。
【００１６】
第１の防水シートおよび第２の防水シートの厚みは、本実施形態においては、各々、１００μｍ（マイクロ・メータ）である。
【００１７】
図１（ａ）に示す正面図は、第１の防水シート１０ａの外面から視認される形状を表す図である。第１の防水シート１０ａは第１の透明部１１を有している。第１の透明部１１は、本実施形態においては、一方の短手辺から１４．９ｍｍ、一方の長手辺から２３．８ｍｍの位置に配置される直径５ｍｍの円形である。
【００１８】
図１（ｂ）に示す背面図は、第２の防水シート１０ｂの外面から視認される形状を表す図である。第２の防水シート１０ｂは背面挿入部１４と第２の透明部１５を有している。背面挿入部１４は、袋形状とされている防水シート１０の内部にスマートフォンを差し入れるための開口部である。背面挿入部１４は、本実施形態においては、長手方向の長さは８０ｍｍ、長手方向の両端の円弧部はＲ７．５ｍｍである。短手方向の最長部の長さは１５ｍｍ、短手方向の最短部の長さは１２ｍｍ、短手方向の最長部と短手方向の最短部との間の円弧部はＲ３４０ｍｍである。背面挿入部１４は、本実施形態においては、第２の防水シート１０ｂの中央部に配置されている。第２の透明部１５は、本実施形態においては、一方の短手辺から１２．８ｍｍ、他方の長手辺から１２．３ｍｍの位置に配置される直径８ｍｍの円形である。
【００１９】
防水シート１０の一方の短手辺にヘッドフォンジャック部１２が設けられている。ヘッドフォンジャック部１２は、ヘッドフォンに接続されるヘッドフォンプラグ（図示せず）またはヘッドフォンジャック保護キャップ３０（図６を参照）を挿入するための開口部である。ヘッドフォンジャック部１２は、本実施形態においては、直径３ｍｍの開口部とし、一方の長手辺から１５ｍｍの位置に配置されている。
【００２０】
防水シート１０の他方の短手辺にコネクタ部１３が設けられている。コネクタ部１３は、コネクタ（図示せず）またはコネクタ保護キャップ４０（図７を参照）を挿入するための開口部である。コネクタ部１３は、本実施形態においては、長手方向の長さは２２ｍｍ、短手方向の長さは２ｍｍの開口部とし、短手辺の中央に配置されている。
【００２１】
図２は、携帯情報端末用防水カバーの保護シート２０を示す図である。
【００２２】
図２（ａ）は平面図であり、図２（ｂ）は断面図である。保護シート２０は、離型紙２１に接着されて提供される。離型紙２１は保護シート２０の長手方向の中央に対応する部分にハーフカットされたスリット２１ａが設けられている。スリット２１ａを折り曲げることによって容易に保護シート２０が離型紙２１から分離できる。
【００２３】
保護シート２０は、本実施形態においては、長手方向の長さは１００ｍｍ、短手方向の長さは３６ｍｍ、２隅の円弧部はＲ１８ｍｍ、シートの厚みは１００μｍである。
【００２４】
保護シート２０は、防水シート１０の背面挿入部１４を覆い、防水効果を生じる。保護シート２０は、防水シート１０に密着し、貼り剥がしを繰り返して同一の保護シート２０を複数回、再利用可能な材料によって形成されている。保護シート２０の材料は、本実施形態においては、オレフィン系材料である。
【００２５】
図３は、携帯情報端末用防水カバーの使用方法を示す図である。
【００２６】
図３の番号１を付した図から番号６を付した図において、利用者は、番号１から番号６の順に沿って携帯情報端末用防水カバーに携帯情報端末を装着する。図３においては携帯情報端末がスマートフォンである場合について説明をしている。
【００２７】
装着においては、防水シート１０の第１の防水シート１０ａの内面とスマートフォンの液晶等で形成される表示パネル（図示せず）を有する表面とが接し、防水シート１０の第２の防水シート１０ｂの内面とスマートフォンの背面とが接するようにする。かつ、第１の透明部１１の内面とスマートフォンの第１のカメラレンズとが接し、第２の透明部１５の内面とスマートフォンの第２のカメラレンズとが接するようにする。さらに、防水シート１０のヘッドフォンジャック部１２の開口部がスマートフォンのヘッドフォンジャック（図８を参照）に面するようにし、防水シート１０のコネクタ部１３の開口部がスマートフォンのコネクタ（図９を参照）に面するようにする。
【００２８】
図３において、スマートフォンの利用者は、番号１から番号６の順に沿って携帯情報端末用防水カバーに携帯情報端末を装着する。  １．防水シート開口部である背面挿入部１４、ヘッドフォンジャック部１２、コネクタ部１３の位置を確認する。  ２．背面挿入部１４からコネクタ部側に向けてスマートフォンを差し入れる。  ３．第２の防水シート１０ｂのヘッドフォンジャック部１２の側の角（一方の角）をスマートフォンの一方の角にかぶせる。  ４．第２の防水シート１０ｂの他方の角をスマートフォンの他方の角にかぶせる。  ５．背面挿入部１４を覆い水漏れがしないように保護シート２０を貼る。  ６．スマートフォンのヘッドフォンジャックにヘッドフォンジャック保護キャップ３０（図６を参照）を挿入して取り付け、スマートフォンのコネクタにコネクタ保護キャップ４０（図７を参照）を挿入して取り付ける。
【００２９】
背面挿入部１４からコネクタ部側に向けてスマートフォンを差し入れるときに、スマートフォンの外筐が、無処理のポリウレタンエラストマーで形成される第１の防水シート１０ａの内面および第２の防水シート１０ｂの内面に、はり付くという事態が生じてしまう。これを防止するために、第１の防水シート１０ａの内面および第２の防水シート１０ｂの内面の摩擦係数を小さくするための処理がされている。しかしながら、第１のカメラレンズに入射する光と第１のカメラレンズに入射する光とに対して悪影響を与えないように、第１の透明部１１の内面と第２の透明部１５の内面とには摩擦係数を小さくするための処理（摩擦低減処理）を施していない。どのようにして摩擦係数を小さくするかについては、後述する。
【００３０】
特に、第１の防水シート１０ａと第２の防水シート１０ｂとによって袋形状とされている内部の容量が、スマートフォンの外形よりも小さい場合には、顕著に、はり付くという事態が生じてしまう。ここで、袋形状とされている内部の容量を小さくするのは、上述したようにスマートフォンに携帯情報端末用防水カバーを密着させるためである。スマートフォンに携帯情報端末用防水カバーを密着させる場合に摩擦低減処理の効果は大きい。
【００３１】
図４、図５を参照して、スマートフォンに携帯情報端末用防水カバーを実装したときの外観について説明をする。
【００３２】
図４はスマートフォンに携帯情報端末用防水カバーを装着したときの正面図と背面図である。
【００３３】
図４（ａ）はスマートフォンに携帯情報端末用防水カバーを装着したときの正面図であり、図４（ｂ）はスマートフォンに携帯情報端末用防水カバーを装着したときの背面図である。
【００３４】
図４（ａ）を参照して説明をする。スマートフォンの画像表示部６２は、内面に摩擦低減処理をされた第１の防水シート１０ａを介して視認される。よって、第１の防水シート１０ａの摩擦低減処理はスマートフォンの画像表示部６２が視認できる限度で施される。第１の透明部１１の内面と第１のカメラレンズとは対抗する位置に配置される。レシーバ１７から発せられる音響は、第１の防水シート１０ａの厚みが薄いので音質の変化および音量の低減が生じることなく利用者の耳元に届く。利用者が発する音声は、第１の防水シート１０ａの厚みが薄いので音質の変化および音量の低減が生じることなくスマートフォンに内蔵されるマイク（図示せず）に届く。
【００３５】
ヘッドフォンジャック保護キャップ３０が開口部であるヘッドフォンジャック部１２を封止し、ヘッドフォンジャック部１２から防水シート１０の内部およびスマートフォンへの漏水を防止する。コネクタ保護キャップ４０が開口部であるコネクタ部１３を封止し、コネクタ部１３から防水シート１０の内部およびスマートフォンへの漏水を防止する。
【００３６】
図４（ｂ）を参照して説明をする。防水シート１０ｂに設けられる開口部である背面挿入部１４は保護シート２０で覆われ、防水シート１０の内部への水漏れを防止している。第２の防水シート１０ｂの第２の透明部１５の内面と第２のカメラレンズとは対抗する位置に配置される。
【００３７】
図５は、スマートフォンに携帯情報端末用防水カバーを実装したときの平面図と底面図と右側面図（左側面図）である。
【００３８】
図５（ａ）は平面図である。図５（ｂ）は底面図である。図５（ｃ）は右側面図である。左側面図も右側面図と同様に表される。スマートフォンに携帯情報端末用防水カバーを実装したときの厚みは約９ｍｍである。
【００３９】
（第１の実施形態）
図６は、第１の実施形態のヘッドフォンジャック保護キャップ３０ａの斜視図である。
【００４０】
ヘッドフォンジャック保護キャップ３０ａは、ジャック挿入部３１とジャック保護キャップ底板３５ａと第１のジャック保護キャップ側板３５ｂと第２のジャック保護キャップ側板３５ｃとジャック防水パッキン３６とを有している。
【００４１】
ジャック挿入部３１とジャック保護キャップ底板３５ａと第１のジャック保護キャップ側板３５ｂと第２のジャック保護キャップ側板３５ｃとは、ジャック保護キャップ基台３５として、上述したように複数の部材を組み合わせるものであってもよい。また、ジャック保護キャップ基台３５は、ジャック挿入部３１とジャック保護キャップ底板３５ａと第１のジャック保護キャップ側板３５ｂと第２のジャック保護キャップ側板３５ｃとが一体成型されるものであってもよい。ジャック挿入部３１とジャック保護キャップ底板３５ａと第１のジャック保護キャップ側板３５ｂと第２のジャック保護キャップ側板３５ｃの材料は、外力によって変形し難い材料とされている。本実施形態では、エラストマとしているが、厚みが大きいので外力によって変形し難いものとなっている。
【００４２】
ジャック防水パッキン３６は、ジャック保護キャップ底板３５ａに固着されている。ジャック保護キャップ底板３５ａの反対側のジャック防水パッキン３６の面は、ジャック保護キャップ底板３５ａの反対側の第１のジャック保護キャップ側板３５ｂの面および第２のジャック保護キャップ側板３５ｃの面より高い位置にある面とされている。すなわち、Ｗ２＞Ｗ１となる厚みが設定されている。第１の実施形態においては、Ｗ２＝０．５ｍｍ、Ｗ１＝０．２ｍｍとしている。ジャック防水パッキン３６の材料は、ジャック保護キャップ底板３５ａと防水シート１０の外面との間で圧接され変形することによって防水効果を得るために、本実施形態では、外力によって変形し易いエラストマとしている。
【００４３】
図７は、コネクタ保護キャップ４０の斜視図である。
【００４４】
コネクタ保護キャップ４０は、コネクタ挿入部４１とコネクタ保護キャップ底部４５ａと第１のコネクタ保護キャップ側板４５ｂと第２のコネクタ保護キャップ側板４５ｃとコネクタ防水パッキン４６とを有している。
【００４５】
コネクタ挿入部４１とコネクタ保護キャップ底部４５ａと第１のコネクタ保護キャップ側板４５ｂと第２のコネクタ保護キャップ側板４５ｃとは、コネクタ保護キャップ基台４５として、上述したように複数の部材を組み合わせるものであってもよい。また、コネクタ挿入部４１とコネクタ保護キャップ底部４５ａと第１のコネクタ保護キャップ側板４５ｂと第２のコネクタ保護キャップ側板４５ｃとは一体成型されるものであってもよい。コネクタ挿入部４１とコネクタ保護キャップ底部４５ａと第１のコネクタ保護キャップ側板４５ｂと第２のコネクタ保護キャップ側板４５ｃの材料は、本実施形態では、エラストマとしているが厚みが大きいので外力によって変形し難い。
【００４６】
コネクタ防水パッキン４６は、コネクタ保護キャップ底部４５ａに固着されている。コネクタ保護キャップ底部４５ａの反対側のコネクタ防水パッキン４６の面は、コネクタ保護キャップ底部４５ａの反対側の第１のコネクタ保護キャップ側板４５ｂの面および第２のコネクタ保護キャップ側板４５ｃの面より高い位置にある面とされている。すなわち、Ｗ４＞Ｗ３となる厚みが設定されている。本実施形態においては、Ｗ４＝０．５ｍｍ、Ｗ３＝０．２ｍｍとしている。コネクタ防水パッキン４６の材料は、コネクタ保護キャップ底部４５ａと防水シート１０の外面との間で圧接され変形することによって防水効果を得るために、本実施形態では、外力によって変形し易いエラストマとしている。
【００４７】
図８は第１の実施形態のヘッドフォンジャック保護キャップ３０ａの作用を示す図である。
【００４８】
図８は、ヘッドフォンジャック保護キャップ３０ａ（ジャック保護キャップ基台３５、ジャック防水パッキン３６を有する）、防水シート１０、スマートフォン外筐６０、ヘッドフォンジャック６１の相互の関係を示すものである。
【００４９】
利用者がジャック保護キャップ基台３５をヘッドフォンジャック６１に押し込むことによって、ジャック保護キャップ基台３５に固着されたジャック挿入部３１はヘッドフォンジャック６１の内壁と密着する。そして、ジャック挿入部３１とヘッドフォンジャック６１の内壁との間の摩擦力によって、ジャック保護キャップ基台３５は、利用者が強い力で引き抜かない限りヘッドフォンジャック６１から容易に抜けない。また、利用者がジャック保護キャップ基台３５をヘッドフォンジャック６１に押し込むことによって、ジャック保護キャップ基台３５とスマートフォン外筐６０との間のジャック防水パッキン３６は圧縮され防水効果を生じる。
【００５０】
防水シート１０とジャック防水パッキン３６とジャック保護キャップ基台３５とによって、防水シート１０に設けられる開口部であるヘッドフォンジャック部１２を封止し、ヘッドフォンジャック部１２から防水シート１０の内部への漏水を防止できる。ここで、ヘッドフォンジャック保護キャップ３０ａは少なくとも、ヘッドフォンジャック６１に挿入可能とされるジャック挿入部３１と、ジャック挿入部３１が固着されるジャック保護キャップ底板３５ａと、ジャック保護キャップ底板３５ａに固着されるジャック防水パッキン３６とを備えれば防水の効果を発揮することができる。
【００５１】
図９はコネクタ保護キャップ４０の作用を示す図である。
【００５２】
図９は、コネクタ保護キャップ４０（コネクタ挿入部４１、コネクタ保護キャップ基台４５、コネクタ防水パッキン４６を有する）、防水シート１０、スマートフォン外筐６０、コネクタ７１の相互の関係を示すものである。
【００５３】
利用者がコネクタ保護キャップ基台４５をコネクタ７１に押し込むことによって、コネクタ挿入部４１はコネクタ７１に密着する。そして、利用者が強い力で引き抜かない限りコネクタ保護キャップ基台４５はコネクタ７１から容易に抜けない。また、利用者がコネクタ保護キャップ基台４５を押し込むことによって、コネクタ保護キャップ基台４５とスマートフォン外筐６０との間のコネクタ防水パッキン４６は圧縮される。
【００５４】
防水シート１０とコネクタ防水パッキン４６とコネクタ保護キャップ基台４５とによって、防水シート１０に設けられる開口部であるコネクタ部１３を封止し、コネクタ部１３から防水シート１０の内部への漏水を防止できる。ここで、コネクタ保護キャップ４０は、コネクタに挿入可能とされるコネクタ挿入部４１と、コネクタ挿入部４１が固着されるコネクタ保護キャップ底部４５ａとを備えれば防水の効果を発揮することができる。
【００５５】
図１０は、防水シートの内面に透明部と低摩擦部とを作るための摩擦低減処理を模式的に示す図である。
【００５６】
図１０は、第１の防水シート１０ａの内面の処理について説明をするための図である。第１の防水シート１０ａの内面と摩擦低減処理用型８０とを対面させて配置する。処理前の第１の防水シート１０ａは透明なポリウレタンエラストマーの平板である。摩擦低減処理用型８０は平坦部８０ａと凹凸部８０ｂとを有している。図１０中の矢印の方向に力を印加し、処理前の防水シート１０ａ、すなわち、透明なポリウレタンエラストマーの平板、の内面に摩擦低減処理用型８０を押し付けることによって、凹凸部８０ｂに対応する部分のポリウレタンエラストマーには凹凸が形成される。一方、平坦部８０ａに対応する部分のポリウレタンエラストマーは変化がなく、凹凸が形成されることなく透明なままである第１の透明部１１が形成される。第２の防水シート１０ｂの内面にも同様にして、凹凸と第２の透明部１５とが形成される。
【００５７】
実施形態の携帯情報端末用防水カバーは、防水シート１０と保護シート２０とヘッドフォンジャック保護キャップ３０ａとコネクタ保護キャップ４０とを備えているので、防水ができる。防水ができることによって、例えば、スマートフォンに実施形態の携帯情報端末用防水カバーを実装する場合には、海水浴に際しても携帯し、通話を楽しむことができる。すなわち、防水シート１０を介してレシーバ１７とマイクとを用い携帯電話機能によって会話を楽しむことができる。
【００５８】
また、海難に際しては救助の要請をすることができる。また、海水浴中に、海上、海中の風景を第１のカメラレンズ、第２のカメラレンズを用いて鮮明に撮影することができる。さらに、スマートフォンのＧＰＳ（Global Positioning System）機能を用いることによって、海難に際して自分の位置を正確に知ることもできる。
【００５９】
また、実施形態の携帯情報端末用防水カバーは、防水シート１０と保護シート２０とヘッドフォンジャック保護キャップ３０ａとコネクタ保護キャップ４０とを備えているので、ヘッドフォンジャック６１、コネクタ７１が簡単に利用できる。携帯情報端末用防水カバーに付着した水分を拭き取った後に、ヘッドフォンジャック保護キャップ３０ａを抜き取り、ヘッドフォンプラグ（図示せず）をヘッドフォンジャック６１に挿入することによって、高音質の音楽を楽しむことができる。また、携帯情報端末用防水カバーに付着した水分を拭き取った後に、コネクタ保護キャップ４０を抜き取り、コネクタ７１と対になる専用のプラグ（図示せず）をコネクタ７１に挿入することができる。
【００６０】
このようにして、専用のプラグを介してパソコンと接続し、また、スマートフォンの内部の二次電池に充電するための充電器（図示せず）に接続することもできる。背景技術に示す防水カバーにおいては、外部機器の接続に際しては、防水カバーを携帯電話から外す必要があった。実施形態の携帯情報端末用防水カバーを用いれば、パソコンとの接続、充電器の接続に際して携帯情報端末用防水カバーをスマートフォンから外す必要がない。よって、携帯情報端末の出し入れを繰り返すことによって防水カバーが短期間に消耗してしまうことがない。
【００６１】
第１の実施形態および以下に述べる第２の実施形態ないし第６の実施形態の各実施形態においても、このような基本的な構成を有し、このような基本的な効果を奏し、さらに、各実施形態ごとの特徴的な構成を有し、各実施形態ごとの特徴的な効果を奏する。
【００６２】
（第２の実施形態）
図１１は、第２の実施形態のヘッドフォンジャック保護キャップ３０ｂの斜視図である。
【００６３】
ヘッドフォンジャック保護キャップ３０ｂは、ジャック挿入部３１と第１の防水リング３２と第２の防水リング３３とジャック保護キャップ底板３５ａと第１のジャック保護キャップ側板３５ｂと第２のジャック保護キャップ側板３５ｃとジャック防水パッキン３６とを有している。第２の実施形態においては、第１の実施形態にはない第１の防水リング３２と第２の防水リング３３とを備える。その他の部分は、第１の実施形態と異なるところはないので説明は省略する。
【００６４】
ジャック挿入部３１とジャック保護キャップ底板３５ａと第１のジャック保護キャップ側板３５ｂと第２のジャック保護キャップ側板３５ｃとは、ジャック保護キャップ基台３５として、上述したように複数の部材を組み合わせるものであってもよい。また、ジャック保護キャップ基台３５は、ジャック挿入部３１とジャック保護キャップ底板３５ａと第１のジャック保護キャップ側板３５ｂと第２のジャック保護キャップ側板３５ｃとが一体成型されるものであってもよい。ジャック挿入部３１とジャック保護キャップ底板３５ａと第１のジャック保護キャップ側板３５ｂと第２のジャック保護キャップ側板３５ｃの材料は、外力によって変形し難い材料とされている。本実施形態では、エラストマとしているが、厚みが大きいので外力によって変形し難いものとなっている。
【００６５】
第１の防水リング３２と第２の防水リング３３の各々は、ジャック挿入部３１に固着されている。第１の防水リング３２と第２の防水リング３３とは防水効果を向上するために離間して配置されている。第１の防水リング３２と第２の防水リング３３の材料は、ヘッドフォンジャック６１（図１２を参照）の内面に圧接され変形することによって防水効果を得ることができる材料とされている。本実施形態では、第１の防水リング３２と第２の防水リング３３の各々は、外力によって変形し易いエラストマとしている。
【００６６】
図１２は第２の実施形態のヘッドフォンジャック保護キャップ３０ｂの作用を示す図である。
【００６７】
図１２は、ヘッドフォンジャック保護キャップ３０ｂ（ジャック保護キャップ基台３５、第１の防水リング３２、第２の防水リング３３、ジャック防水パッキン３６を有する）、防水シート１０、スマートフォン外筐６０、ヘッドフォンジャック６１の相互の関係を示すものである。
【００６８】
利用者がジャック保護キャップ基台３５をヘッドフォンジャック６１に押し込むことによって、ジャック保護キャップ基台３５に固着された第１の防水リング３２、第２の防水リング３３はヘッドフォンジャック６１の内壁と密着する。そして、第１の防水リング３２および第２の防水リング３３とヘッドフォンジャック６１の内壁との間の摩擦力によって、ジャック保護キャップ基台３５は、利用者が強い力で引き抜かない限りヘッドフォンジャック６１から容易に抜けない。また、利用者がジャック保護キャップ基台３５をヘッドフォンジャック６１に押し込むことによって、ジャック保護キャップ基台３５とスマートフォン外筐６０との間のジャック防水パッキン３６は圧縮され防水効果を生じる。
【００６９】
防水シート１０とジャック防水パッキン３６とジャック保護キャップ基台３５とによって、防水シート１０に設けられる開口部であるヘッドフォンジャック部１２を封止し、ヘッドフォンジャック部１２から防水シート１０の内部への漏水を防止できる。ここで、ヘッドフォンジャック保護キャップ３０ｂは少なくとも、ヘッドフォンジャック６１に挿入可能とされるジャック挿入部３１と、ジャック挿入部３１が固着されるジャック保護キャップ底板３５ａと、ジャック挿入部３１に配されヘッドフォンジャック６１の内面に密着する防水リング３２または防水リング３３のいずれかの一方と、ジャック保護キャップ底板３５ａに固着されるジャック防水パッキン３６とを備えれば防水の効果を発揮することができる。
【００７０】
第２の実施形態によれば、第１の防水リング３２と第２の防水リング３３とを用いることによって、第１の実施形態におけるよりも、より効果的にジャック挿入部３１からの漏水を防止することができる。そして第１の実施形態におけるよりも防水効果を向上することができる。
【００７１】
（第３の実施形態）
ジャック防水パッキン３６とコネクタ防水パッキン４６は、ジェルパッキンとしてもよい。ジェルパッキンとは、防水のための高粘度の溶液を含浸したパッキンである。ジェルパッキンをジャック防水パッキン３６として用いることによって、第１の防水シート１０ａの外面および第２の防水シート１０ｂの外面とジャック防水パッキン３６との密着度を向上することができる。また、ジェルパッキンをコネクタ防水パッキン４６として用いることによって、第１の防水シート１０ａの外面および第２の防水シート１０ｂの外面とコネクタ防水パッキン４６との密着度を向上することができる。そして、防水効果をより大きくすることができる。
【００７２】
（第４の実施形態）
上述したように本実施形態の防水カバーにおいては、第１の防水シート１０ａと第２の防水シート１０ｂとを張り合わせることによって袋形状とされている。ここで、第１の防水シート１０ａと第２の防水シート１０ｂとの張り合わせ部は他の部分に比べて厚くなり突起が生じることがある。
【００７３】
図１３は、第１の防水シート１０ａと第２の防水シート１０ｂとの張り合わせ部に生じる突起１０ｃを模式的に示す図である。
【００７４】
図１３は、図５に対応する図であり、スマートフォンに携帯情報端末用防水カバーを実装したときの平面図と底面図と右側面図（左側面図）に表れる突起１０ｃを模式的に示すものである。図１３（ａ）は平面図である。図１３（ｂ）は底面図である。図１３（ｃ）は右側面図である。左側面図も右側面図と同様に表される。
【００７５】
図１３に示すような突起１０ｃの大きさは、突起１０ｃを研磨することによって小さくすることができる。しかしながら、研磨をしない場合には、突起１０ｃの大きさは３００μｍに及ぶこともある。研磨は手間がかかり、その結果、防水シート１０の価格が高いものになってしまい好ましくない。
【００７６】
突起１０ｃの部分が３００μｍに及ぶときには以下の問題が生じることがある。
【００７７】
上述した、第１の実施形態のヘッドフォンジャック保護キャップ３０ａ、第２の実施形態のヘッドフォンジャック保護キャップ３０ｂを用いる場合には、突起１０ｃの部分がジャック防水パッキン３６を押し上げて、ジャック防水パッキン３６と突起１０ｃの付近の防水シート１０との間に隙間が生じ、この隙間からスマートフォンおよび携帯情報端末用防水カバーの内部に漏水することもあり得る。
【００７８】
第４の実施形態においては、突起１０ｃが存在することによって生じる漏水を防止することができる。図１４、図１５、図１６、図１７を参照して第４の実施形態について説明をする。
【００７９】
図１４は第４の実施形態におけるスマートフォン外筐６０とヘッドフォンジャック６１と防水パッド９０との関係を示す斜視模式図である。
【００８０】
防水パッド９０は、例えば、両面が粘着作用を有する発泡ブチルゴムである。実施形態においては、発泡ブチルゴムとして厚さ０．８ｍｍの両面接着テープを用いる。
【００８１】
防水パッド９０は、スマートフォン外筐６０の配されるヘッドフォンジャック６１を覆い、スマートフォン外筐６０に密着される。防水パッド９０のヘッドフォンジャック６１に接する部分には開口部が設けられており、ヘッドフォンプラグまたはヘッドフォンジャック保護キャップ３０ａが挿入可能とされている。防水パッド９０をスマートフォン外筐６０に密着した状態にして、防水パッド９０を貼ったスマートフォン外筐６０が、防水シート１０の内部に挿入されて防水カバーが使用される。
【００８２】
図１５は第４の実施形態におけるスマートフォン外筐６０とヘッドフォンジャック６１と防水パッド９０と第１の防水シート１０ａおよび第２の防水シート１０ｂからなる防水シート１０とヘッドフォンジャック保護キャップ３０ａとの関係を示す断面模式図である。
【００８３】
防水カバーを用いる場合には、スマートフォン外筐６０およびヘッドフォンジャック６１、防水パッド９０、防水シート１０、ジャック防水パッキン３６の順に各部材が積層される。ここで、防水パッド９０は、スマートフォン外筐６０に密着するのみならず、防水シート１０の内面にも密着する。これによって、防水パッド９０は、防水シート１０の内面側から防水シート１０の外面にある突起１０ｃを内側から引っ張る。そして、突起１０ｃの盛り上がり量を減少させ、突起１０ｃとジャック防水パッキン３６との間に生じる隙間からの漏水を防止する。
【００８４】
第３実施形態において説明したジェルパッキンをジャック防水パッキン３６として用いることによって、さらに、防水効果を向上することができる。例えば、厚さ１ｍｍのジェルパッキンをジャック防水パッキン３６として用いることによって、突起１０ｃの周辺の隙間をジェルが埋め、実施形態においては、さらに、良好な防水効果を得ることができた。
【００８５】
同様の構成をコネクタ７１の周辺に用いて、コネクタ７１の周辺の防水効果を向上することができる。
【００８６】
図１６はスマートフォン外筐６０とコネクタ７１と防水パッド９１との関係を示す斜視模式図である。
【００８７】
防水パッド９１は、例えば、両面が粘着作用を有する発泡ブチルゴムである。実施形態においては、発泡ブチルゴムとして厚さ０．８ｍｍの両面接着テープを用いる。
【００８８】
防水パッド９１は、コネクタ７１を覆い、スマートフォン外筐６０に密着される。防水パッド９１のコネクタ７１に接する部分には開口部が設けられており、専用のプラグまたはコネクタ保護キャップ４０が挿入可能とされている。このように防水パッド９１をスマートフォン外筐６０に密着した状態で防水カバーが使用される。
【００８９】
図１７はスマートフォン外筐６０とコネクタ７１と防水パッド９１と防水シート１０とコネクタ保護キャップ４０との関係を示す断面模式図である。
【００９０】
防水カバーを用いる場合には、スマートフォン外筐６０およびコネクタ７１、防水パッド９１、防水シート１０、コネクタ防水パッキン４６の順に各部材が積層される。ここで、防水パッド９１は、スマートフォン外筐６０に密着するのみならず、防水シート１０の内面にも密着する。これによって、防水パッド９１は、防水シート１０の内面側から防水シート１０の外面にある突起１０ｃを内側から引っ張る。そして、突起１０ｃの盛り上がり量を減少させ、突起１０ｃとコネクタ防水パッキン４６との間に生じる隙間からの漏水を防止する。
【００９１】
第３実施形態において説明したジェルパッキンをコネクタ防水パッキン４６として用いることによって、さらに、防水効果を向上することができる。例えば、厚さ１ｍｍのジェルパッキンをコネクタ防水パッキン４６として用いることによって、突起１０ｃの周辺の隙間をジェルが埋め、実施形態においては良好な防水効果を得ることができた。
【００９２】
（第５の実施形態）
第５の実施形態は防水シート１０の外面側から防水シート１０の外面にある突起１０ｃを押圧することにより漏水を防止する。
【００９３】
図１８は第５の実施形態におけるスマートフォン外筐６０を内蔵した防水シート１０の突起１０ｃとヘッドフォンジャック６１と防水パッド９２との関係を示す斜視模式図である。
【００９４】
防水パッド９２は、防水シート１０よりも強度が高い部材である。実施形態においては、厚さ０．５ｍｍのゴアテックス（登録商標）を用いた。
【００９５】
防水パッド９２は、ヘッドフォンジャック６１の付近の防水シート１０の外面を覆い、防水シート１０の外面に密着される。防水パッド９２のヘッドフォンジャック６１の付近の防水シート１０に接する部分には開口部が設けられており、ヘッドフォンプラグまたはヘッドフォンジャック保護キャップ３０ａが挿入可能とされている。ここで、防水パッド９２は防水シート１０よりも強度が高い部材であるので、ヘッドフォンジャック保護キャップ３０ａを介して防水パッド９２に加わる押圧力を突起１０ｃに集中し、突起１０ｃを押しつぶす。
【００９６】
図１９はスマートフォン外筐６０とヘッドフォンジャック６１と防水シート１０と防水パッド９２とヘッドフォンジャック保護キャップ３０ａとの関係を示す断面模式図である。
【００９７】
防水カバーを用いる場合には、スマートフォン外筐６０およびヘッドフォンジャック６１、防水シート１０、防水パッド９２、ジャック防水パッキン３６の順に各部材が積層される。ここで、防水パッド９２は、ジャック防水パッキン３６に密着するのみならず、防水シート１０の外面の突起１０ｃを押しつぶして密着する。これによって、防水パッド９２は、突起１０ｃの盛り上がり量を減少させ、突起１０ｃとジャック防水パッキン３６との間に生じる隙間からの漏水を防止する。
【００９８】
第３実施形態において説明したジェルパッキンをジャック防水パッキン３６として用いることによって、さらに、防水効果を向上することができる。例えば、厚さ１ｍｍのジェルパッキンをジャック防水パッキン３６として用いることによって、突起１０ｃの周辺の隙間をジェルが埋め、実施形態においては、さらに、良好な防水効果を得ることができた。
【００９９】
同様の構成をコネクタ７１の周辺に用いて、コネクタ７１の周辺の防水効果を向上することができる。
【０１００】
図２０は防水シート１０の突起１０ｃとコネクタ７１と防水パッド９３との関係を示す斜視模式図である。
【０１０１】
防水パッド９３は、防水シート１０よりも強度が高い部材である。実施形態においては、厚さ０．５ｍｍのゴアテックス（登録商標）を用いた。
【０１０２】
防水パッド９３は、コネクタ７１の付近の防水シート１０を覆い、防水シート１０の外面に密着される。防水パッド９３のコネクタ７１の付近には開口部が設けられており、プラグまたはコネクタ保護キャップ４０が挿入可能とされている。ここで、防水パッド９２は防水シート１０よりも強度が高い部材であるので、コネクタ保護キャップ４０を介して防水パッド９３に加わる押圧力を突起１０ｃに集中し、突起１０ｃを押しつぶす。
【０１０３】
図２１はスマートフォン外筐６０とヘッドフォンジャック６１と防水シート１０と防水パッド９３とコネクタ保護キャップ４０との関係を示す断面模式図である。
【０１０４】
防水カバーを用いる場合には、スマートフォン外筐６０およびコネクタ７１、防水シート１０、防水パッド９３、コネクタ保護キャップ４０の順に各部材が積層される。ここで、防水パッド９３は、コネクタ防水パッキン４６に密着するのみならず、防水シート１０の外面の突起１０ｃを押しつぶして密着する。これによって、防水パッド９３は、突起１０ｃの盛り上がり量を減少させ、突起１０ｃとコネクタ防水パッキン４６との間に生じる隙間からの漏水を防止する。
【０１０５】
第３実施形態において説明したジェルパッキンをコネクタ防水パッキン４６として用いることによって、さらに、防水効果を向上することができる。例えば、厚さ１ｍｍのジェルパッキンをコネクタ防水パッキン４６として用いることによって、突起１０ｃの周辺の隙間をジェルが埋め、実施形態においては、さらに、良好な防水効果を得ることができた。
【０１０６】
（第６の実施形態）
第６の実施形態は第１の防水シート１０ａと第２の防水シート１０ｂとの接着面に形成される突起１０ｃが、ジャック防水パッキン３６、コネクタ防水パッキン４６に接して配されることがないように接着面をずらすものである。
【０１０７】
図２２は、第６の実施形態を示す図である。
【０１０８】
図２２はスマートフォンに携帯情報端末用防水カバーを装着したときの正面図と背面図である。
【０１０９】
図２２（ａ）はスマートフォンに携帯情報端末用防水カバーを装着したときの正面図であり、図２２（ｂ）はスマートフォンに携帯情報端末用防水カバーを装着したときの背面図である。
【０１１０】
図２２に示す各図が図４に示す各図と異なる点は以下である。突起１０ｃの位置が図２２（ａ）、図２２（ｂ）に示すように正面図、背面図に表れるときに、第１の透明部１１の内面が第１のカメラレンズと対抗する位置に配置される。また、突起１０ｃの位置が図２２（ａ）、図２２（ｂ）に示すように正面図、背面図に表れるときに、ヘッドフォンジャック保護キャップ３０が開口部であるヘッドフォンジャック部１２（図１を参照）を封止するように、ヘッドフォンジャック部１２が配置される。また、突起１０ｃの位置が図２２（ａ）、図２２（ｂ）に示すように正面図、背面図に表れるときに、第２の透明部１５の内面と第２のカメラレンズと対抗する位置に配置される。また、突起１０ｃの位置が図２２（ａ）、図２２（ｂ）に示すように正面図、背面図に表れるときに、コネクタ保護キャップ４０が開口部であるコネクタ部１３を（図１を参照）封止するような位置に、コネクタ部１３が配置される点も図４に示す各図とは異なる。
【０１１１】
このように、第１の透明部１１、ヘッドフォンジャック部１２、第２の透明部１５、コネクタ部１３を予め配置することによって、ヘッドフォンジャック保護キャップ３０およびコネクタ保護キャップ４０に対抗する位置に突起１０ｃが配置されることはなくなる。よって、突起１０ｃとヘッドフォンジャック保護キャップ３０との間の隙間、突起１０ｃとコネクタ保護キャップ４０との間に隙間が生じることがなく防水効果を向上することができる。
【０１１２】
突起１０ｃの位置を図２２（ａ）、図２２（ｂ）に示すように配置するには以下のようにする。図３を引用して説明したように背面挿入部１４からスマートフォンを挿入する。その後、スマートフォンと携帯情報端末用防水カバーとの相対位置を図２２（ａ）、図２２（ｂ）に示す長手方向にずらし、第１の透明部１１、ヘッドフォンジャック部１２、第２の透明部１５、コネクタ部１３の各々をスマートフォンの各部分に対応する所定位置に配置する。
【０１１３】
以上の第１の実施形態ないし第６の実施形態の各々に記載された部分を複数個組み合わせた実施形態も当然に実施可能である。そして各実施形態の奏する特徴ある効果を併せ持つことができる。
【０１１４】
本発明は、上述した実施形態および実施形態の各々に記載された部分を複数個組み合わせた実施形態に限定されるものではなく、同一の技術的思想の範囲に及ぶことは言うまでもない。
【符号の説明】
【０１１５】
１０、１０ａ、１０ｂ  防水シート、１０ｃ  突起、  １１、１５  透明部、  １２  ヘッドフォンジャック部、  １３  コネクタ部、  １４  背面挿入部、  １７  レシーバ、  ２０  保護シート、  ２１  離型紙、  ２１ａ  スリット、  ３０、３０ａ、３０ｂ  ヘッドフォンジャック保護キャップ、  ３１  ジャック挿入部、  ３２  防水リング、  ３３  防水リング、  ３５  ジャック保護キャップ基台、  ３５ａ  ジャック保護キャップ底板、  ３５ｂ、３５ｃ  ジャック保護キャップ側板、  ３６  ジャック防水パッキン、  ４０  コネクタ保護キャップ、  ４１  コネクタ挿入部、  ４５  コネクタ保護キャップ基台、  ４５ａ  コネクタ保護キャップ底部、  ４５ｂ、４５ｃ  コネクタ保護キャップ側板、  ４６  コネクタ防水パッキン、  ６０  スマートフォン外筐、  ６１  ヘッドフォンジャック、  ６２  画像表示部、  ７１  コネクタ、  ８０  摩擦低減処理用型、  ８０ａ  平坦部、  ８０ｂ  凹凸部、  ９０、９１，９２，９３  防水パッド
【図３】
2014003478.tif 000003
【図１４】
2014003478.tif 000004
【図１６】
2014003478.tif 000005
【図１８】
2014003478.tif 000006
【図２０】
2014003478.tif 000007
【図１】
2014003478.tif 000008
【図２】
2014003478.tif 000009
【図４】
2014003478.tif 000010
【図５】
2014003478.tif 000011
【図６】
2014003478.tif 000012
【図７】
2014003478.tif 000013
【図８】
2014003478.tif 000014
【図９】
2014003478.tif 000015
【図１０】
2014003478.tif 000016
【図１１】
2014003478.tif 000017
【図１２】
2014003478.tif 000018
【図１３】
2014003478.tif 000019
【図１５】
2014003478.tif 000020
【図１７】
2014003478.tif 000021
【図１９】
2014003478.tif 000022
【図２１】
2014003478.tif 000023
【図２２】
2014003478.tif 000024